(57)【要約】【課題】排泄物の臭気を速やかにマスキングできる愛玩動物用の排泄物処理シート【解決手段】愛玩動物用の排泄物処理シート１が排泄物の臭気をマスキングすることが可能な香気を発生させる香料を含む。香料は、シクロデキストリンに包接されている粒子状包接化合物２１としてのものであり、その粒子状包接化合物２１は芯材１６の上面１６ａと上面１６ａの直上の透液性シートであるティシューペーパ３ａとの間にある。【選択図】図２
2010051261.tif 000002
【特許請求の範囲】
【請求項１】
透液性シートと不透液性シートとの間に吸液性芯材が介在するとともに、愛玩動物の排泄物が接触すると前記排泄物の臭気をマスキングすることが可能な香気を発生させる香料が含まれた愛玩動物用の排泄物処理シートであって、
前記香料がシクロデキストリンに包接されている粒子状包接化合物としてのものであって、
前記芯材が前記透液性シートの側に位置する上面と、前記不透液性シートの側に位置する下面とを有し、
前記包接化合物が前記芯材の上面と、前記上面の直上の透液性シートとの間にあることを特徴とする前記処理シート。
【請求項２】
前記包接化合物が高吸水性ポリマー粒子と混合された状態にある請求項１記載の処理シート。
【請求項３】
前記シクロデキストリンがβ―シクロデキストリンである請求項１または２記載の処理シート。
【請求項４】
前記芯材が粉砕パルプを含むものであり、前記直上の透液性シートが１０〜２５ｇ／ｍ２の坪量を有するティシューペーパである請求項１〜３のいずれかに記載の処理シート。
【請求項５】
前記芯材が前記粉砕パルプと高吸水性ポリマー粒子との混合物である請求項４記載の処理シート。
【請求項６】
前記芯材と前記ティシューペーパとが互いに交差して延びる複数条の圧搾溝の底部において実質的に剥離することがないように接合するとともに、前記処理シートには前記接合部によって囲繞された状態の０．０５〜５ｃｍ２の表面積を有する吸液域が形成されており、前記吸液域において前記芯材と前記ティシューペーパとの間に介在する前記包接化合物と前記高吸水性ポリマー粒子とが、前記圧搾溝の底部において前記吸液域の外へ出ることを阻止されている請求項１〜５のいずれかに記載の処理シート。
【請求項７】
前記芯材は前記包接化合物と前記高吸水性ポリマー粒子との前記芯材内部への進入を阻止することができるように密に圧縮された状態にあり、前記ティシューペーパは前記包接化合物と前記高吸水性ポリマー粒子との通過を阻止し得る密な組織を有するものである請求項１〜６のいずれかに記載の処理シート。
【請求項８】
前記処理シートの１０ｃｍ×１０ｃｍの大きさの中に含まれる高吸水性ポリマー粒子の全量のボルテックス法による吸水速度が６０秒以下である請求項１〜７のいずれかに記載の処理シート。
【請求項９】
前記包接化合物は粒径が５〜５０μｍの範囲にある請求項１〜８のいずれかに記載の処理シート。
【発明の詳細な説明】
【技術分野】
【０００１】
この発明は、犬や猫等の愛玩動物の排泄物を処理するのに好適なシートに関する。
【背景技術】
【０００２】
室内で飼育している犬や猫の排泄物を処理するための吸液能力を有する排泄物処理シートは周知である。また、排泄物の臭気をマスキングしたり消臭したりする能力を兼ね備えた排泄物処理シートもよく知られている。例えば、特開昭６２−２３６８６０号公報（特許文献１）には、水溶性樹脂に香料を包含させた粉末と吸水性樹脂の粉末との混合物を２００ｇ／ｍ２のパルプシートでサンドウィッチすることによって得られる吸尿シートが開示されている。
【特許文献１】特開昭６２−２３６８６０号公報
【発明の開示】
【発明が解決しようとする課題】
【０００３】
特許文献１に開示の吸尿シートは、尿を吸収すると水溶性樹脂が溶解して水溶性樹脂に含まれていた香料が香気を発し、その香気によって排泄物の臭気をマスキングすることができる。しかし、この吸尿シートでは、尿がパルプシートに浸透して水溶性樹脂に到達しないと香気が発生しないので、香気が発生するまでに時間を要するという場合がある。また、発生した香気はパルプシートを通過して大気中に拡散しないとマスキング効果を発揮しない。しかも、尿が水溶性樹脂に到達する時間を短くしようとしてパルプシートの密度を高くすると、香気が大気中に拡散するまでの時間が長くなるということもある。
【０００４】
この発明は、排泄物処理シートに排泄物が接触すると、香料の発する香気によってその排泄物の臭気を速やかにマスキングすることができるように、従来の排泄物処理シートに改良を加えることを課題にしている。
【課題を解決するための手段】
【０００５】
前記課題を解決するために、この発明が対象とするのは、透液性シートと不透液性シートとの間に吸液性芯材が介在するとともに、愛玩動物の排泄物が接触すると前記排泄物の臭気をマスキングすることが可能な香気を発生させる香料が含まれた愛玩動物用の排泄物処理シートである。
【０００６】
かかる排泄物処理シートにおいて、この発明が特徴とするところは、次のとおりである。前記香料は、シクロデキストリンに包接されている包接化合物としてのものであり、前記芯材が前記透液性シートの側に位置する上面と、前記不透液性シートの側に位置する下面とを有し、前記包接化合物が前記芯材の上面と、前記上面の直上の透液性シートとの間にあることを特徴とする。
【０００７】
この発明の実施形態の一つにおいて、前記包接化合物が高吸水性ポリマー粒子と混合された状態にある。
【０００８】
この発明の実施形態の一つにおいて、前記シクロデキストリンがβ―シクロデキストリンである。
【０００９】
この発明の実施形態の一つにおいて、前記芯材が粉砕パルプを含むものであり、前記直上の透液性シートが１０〜２５ｇ／ｍ２の坪量を有するティシューペーパである。
【００１０】
この発明の実施形態の一つにおいて、前記芯材が前記粉砕パルプと高吸水性ポリマー粒子との混合物である。
【００１１】
この発明の実施形態の一つにおいて、前記芯材と前記ティシューペーパとが互いに交差して延びる複数条の圧搾溝の底部において実質的に剥離することがないように接合するとともに、前記処理シートには前記接合部によって囲繞された状態の０．０５〜５ｃｍ２の表面積を有する吸液域が形成されており、前記吸液域において前記芯材と前記ティシューペーパとの間に介在する前記包接化合物と前記高吸水性ポリマー粒子とが、前記圧搾溝の底部において前記吸液域の外へ移動することを阻止されている。
【００１２】
この発明の実施形態の一つにおいて、前記芯材は前記包接化合物と前記高吸水性ポリマー粒子との前記芯材内部への進入を阻止することができるように密に圧縮された状態にあり、前記ティシューペーパは前記包接化合物と前記高吸水性ポリマー粒子との通過を阻止し得る密な組織を有するものである。
この発明の実施形態の一つにおいて、前記処理シートの１０ｃｍ×１０ｃｍの大きさの中に含まれる高吸水性ポリマー粒子の全量のボルテックス法による吸水速度が６０秒以下である。
【００１３】
この発明の実施形態の他の一つにおいて、前記包接化合物は粒径が５〜５０μｍの範囲にある。
【発明の効果】
【００１４】
この発明に係る排泄物の処理シートは、香料を水溶性のシクロデキストリンに包接させ、そのシクロデキストリンによる包接化合物が吸液性芯材の上面と、その上面の直上の透液性シートとの間にあるから、この排泄物処理シートの上に尿が排泄されると、その尿で包接化合物が速やかに溶解し、香料の臭気が透液性シートを通過して速やかに大気中に拡散して尿の臭気をマスキングすることができる。
【発明を実施するための最良の形態】
【００１５】
添付の図面を参照して、この発明に係る愛玩動物用の排泄物処理シートの詳細を説明すると、以下のとおりである。
【００１６】
図１は、排泄物処理シート１の部分破断平面図である。処理シート１は、縦方向Ａと横方向Ｂと厚さ方向Ｃ（図２参照）とを有し、図示例のものは縦方向Ａの寸法が横方向Ｂの寸法よりも大きく作られている。処理シート１の表面は、透液性の表面シート２によって形成されており、表面シート２の下側には透液性の第１芯材被覆シート３ａが使用されている。処理シート１における周縁部４の内側では、第１芯材被覆シート３に互いに交差するように傾斜して延びている複数条の圧搾溝６が形成されている。
【００１７】
図２は、図１のＩＩ−ＩＩ線断面図であるが、処理シート１において積層されている各部材が厚さ方向Ｃに離間した状態で示されている。また、図２では、圧搾溝６の図示が省略されている。処理シート１は、厚さ方向Ｃにおいて表面シート２の反対側に不透液性の裏面シート７を有する。表面シート２は熱可塑性合成繊維の不織布によって形成されており、好ましくは親水化処理されている。裏面シート７は熱可塑性合成樹脂のフィルムで形成されている。表面シート２と裏面シート７との間には、吸収部１１が形成されている。吸収部１１は、４０〜１００重量％の粉砕パルプ等の吸水性繊維１２と６０〜０重量％の第１高吸水性ポリマー粒子１３とによって形成されていて、坪量が例えば５０〜３００ｇ／ｍ２の吸収性材料の集合体である吸液性芯材１６と、芯材１６における上面１６ａの直上に位置する透液性シートとなる第１芯材被覆シート３ａと、芯材１６の下面１６ｂの直下に位置する第２芯材被覆シート３ｂと、芯材１６における上面１６ａと第１芯材被覆シート３ａとの間に形成された香気発散層２０とを含んでいる。表面シート２と裏面シート７とは吸収部１１の周縁の外側で重なり合い、接着または溶着により互いに接合して、処理シート１の周縁部４を形成する。第１芯材被覆シート３ａと第２芯材被覆シート３ｂは、互いに部分的に重なり合うことによって、吸収部１１を構成している吸水性繊維１２や第１高吸水性ポリマー粒子１３をそれらが吸収部１１の外へ出ることがないように包んでいる。また、第１芯材被覆シート３ａは、表面シート２を通過した後の尿等の排泄物中の水分を縦方向Ａや横方向Ｂに適度に拡散させるようにも作用する。このような第１、第２芯材被覆シート３ａ，３ｂには、例えばティッシュペーパが使用される。好ましいティッシュペーパは、１０〜２５ｇ／ｍ２の坪量を有する。
【００１８】
吸収部１１における香気発散層２０には、シクロデキストリンが香料を包接している包接化合物の粒子２１と、第２高吸水性ポリマー粒子２２とを混合することによって形成されている。包接化合物の香料には、天然香料と合成香料とがある。包接化合物の粒子２１は、シクロデキストリンにマルトデキストリン、プルラン、アラビアガム等の水溶性増粘剤を適宜加えることによって粒径が５〜１００μｍ、好ましくは１０〜５０μｍに調整されている。第２高吸水性ポリマー粒子２２は、包接化合物の粒子２１の重量の５〜１００倍の量を使用する。包接化合物の粒子２１と第２高吸水性ポリマー粒子２２とは、予め混合してあるものを１５〜１１０ｇ／ｍ２の割合で芯材１６の上面１６ａに散布する。包接化合物の粒子２１は、上面１６ａの１ｍ２当たりについての使用量が僅かであるから、例えば０．５〜１０ｇ／ｍ２程度で足りるから、第２高吸水性ポリマー粒子２２と混合して見かけの嵩を大きくして散布することによって吸収部１１を作ることが容易になる。第１高吸水性ポリマー粒子１３には、第２高吸水性ポリマー粒子２２と同じものを使用することができる。
【００１９】
図３，４は、図１の部分ＩＩＩの拡大図と、図３のＩＶ−ＩＶ線断面図である。なお、図４の断面図には、表面シート２が仮想線で示されている。図４の吸収部１１における圧搾溝６は、吸収部１１を第１芯材被覆シート３ａから第２芯材被覆シート３ｂに向かって圧縮することによって形成されており、圧搾溝６の底部６ａでは、第１芯材被覆シート３ａと芯材１６とが実質的に剥離することがないように密着し一体になっている。ここでいう実質的に剥離することがないとは、処理シート１の通常の取り扱いや使用の際に第１芯材被覆シート３ａと芯材１６とが剥離しないことを意味している。複数条の圧搾溝６のうちで、互いに隣接して並行する一対のものと、このものに交差しながら互いに隣接して並行する一対のものとは、これら圧搾溝６によって囲繞された状態にある吸液域２５を画成している。吸液域２５では、第１芯材被覆シート３ａと芯材１６との間で香料が包接されている包接化合物の粒子２１と第２高吸水性ポリマー粒子２２とが香気発散層２０を形成している。ティシューペーパで形成された第１芯材被覆シート３ａは引き裂き強度の低いものであって、表面シート２によって被覆保護されている。吸液域２５における包接化合物の粒子２１と高吸水性ポリマー粒子２２とは、圧搾溝６の底部６ａで芯材１６と一体になっている第１芯材被覆シート３ａによって縦方向Ａにおいても横方向Ｂにおいても、また厚さ方向Ｃの上方においても吸液域２５の外へ出ることがない。先に例示の坪量１０〜２５ｇ／ｍ２を有するティシューペーパは、通常、包接化合物の粒子２１や第２高吸水性ポリマー粒子２２の通過を阻止するのに足りる密な組織を有しており、第１芯材被覆シート３ａとして使用するのに好適なものである。吸液域２５ではまた、包接化合物の粒子２１と第２高吸水性ポリマー粒子２２とが芯材１６の内部に進入することがないように圧縮された状態にある。例えば、吸水性繊維１２が粉砕パルプである場合に、粉砕パルプは０．０３〜０．１５ｇ／ｃｃの密度を保つように圧縮されている。それゆえ、処理シート１では、それを使用する前に折り畳んだり、丸めたりしても包接化合物の粒子２１や第２高吸水性ポリマー粒子２２の分布に偏りが生じない。この発明において、好ましい吸液域２５は、表面積が０．０５〜５ｃｍ２となるような大きさに作られる。吸液域２５がこのようであると、処理シート１において、尿が徒に広く拡散することがなく、愛玩動物の足を尿で汚すことがない。
【００２０】
このように形成されている処理シート１は、従来の処理シートと同様に使用することができる。ただし、この処理シート１では、例えば尿がその上に排泄されて、吸液域２５に進入すると、一部の尿は包接化合物の粒子２１におけるシクロデキストリンを溶解し、包接されていた香料が香気を発生して、尿の臭気をマスキングする。尿の一部はまた第２高吸水性ポリマー粒子２２に吸収されたり芯材１６に吸収されたりする。吸液域２５に尿がなくなると、シクロデキストリンは香料を包接しながら結晶化するが、そのときには包接されない香料が吸液域２５に残る。この発明に係る処理シート１は、その香料によって強い臭気が発生または持続するものと考えられる。
【００２１】
この発明において、包接化合物の粒子２１におけるシクロデキストリンとして
β−シクロデキストリンを使用し、香料としてフルーツ系の合成香料を使用する場合、香料の使用量は包接化合物の粒子２１の重量の５〜２５重量％であることが好ましい。
【００２２】
図６は、包接化合物の粒子２１と第２高吸水性ポリマー粒子２２との作用と効果とを確認するために使用した評価用処理シート５１の断面図である。評価用処理シート５１の大きさは１０ｃｍ×１０ｃｍであり、芯材１６には坪量１２０ｇ／ｍ２の粉砕パルプを使用した。香気発散層２０のうちの包接化合物の粒子２１には香料としてアイ・エヌ・エフ日本株式会社のフローラルフルーツ系香料ＴＦ２３１０２を使用し、シクロデキストリンとしてβ―シクロデキストリンを使用した。βーシクロデキストリンとこの香料との包接化合物（略称をＣＤとする）は、次の手順によって調製した。
１）水６０部にβーシクロデキストリン３６部と香料４部とを加え、３０分間攪拌してから５℃で２４時間静置する。
２）その後１分間攪拌し、出口温度９５℃のスプレードライヤで処理し、粒径が約５ミクロンを有する包接化合物（ＣＤ）の粉体を得る。
【００２３】
処理用シート５１における香気発散層２０のうちの第２高吸水性ポリマー粒子２２には、住友精化（株）製のＵＧ−３２０Ｐおよび／またはＵＧ−８４０Ｄとを使用した。
【００２４】
処理用シート５１では、香気発散層２０を得るための包接化合物の粒子２１と高吸水性ポリマー粒子２２とを芯材１６の上面１６ａ，下面１６ｂまたは芯材１６の厚さ方向のほぼ中央部のいずれかを選択して分布させた。吸収部１１は２０ｋｇ／ｃｍ２の圧力を３秒間作用させて圧縮したのちに、１ｃｍ四方の吸液域２５を形成するためのプレス型を２０ｋｇ／ｃｍ２の圧力で１７秒間作用させ、その後に表面シート２と裏面シート７とで被覆した。
【００２５】
表１は、試験用処理シート５１を使用しての実施例と比較例とにおける香気発散強度と、使用した高吸水性ポリマー粒子のボルテックス法による吸水速度（秒）とを示している。
【００２６】
【表１】
2010051261.tif 000003
【００２７】
香気発散強度は、その値が高いほど臭気に対するマスキング効果が高く、経過時間（分）が長くなってもその値は大きく低下しないことが好ましい。発明者が知見したところによれば、経過時間１分と１２０分とにおいて香気発散強度が２００以上である試験用処理シート５１は、実用上のマスキング効果があるものと判断することができた。表１によれば、そのような効果を発揮し得る高吸水性ポリマー粒子は、ボルテックス法による吸水速度が６０秒以下のものであることが好ましく、また吸水速度の速いものは吸水速度の遅いものよりも高い効果を奏すると考えられる。
【００２８】
香気発散強度の測定手順は、次のとおりである。
１）測定環境を２５℃、Ｒ．Ｈ．５０％に設定する。
２）底面の一辺が１２〜１５ｃｍの四角形のふた付き容器を用意し、そのふたに直径４ｍｍの孔をあけておく。
３）臭気測定器ＣＯＳＭＯＳ  ＸＰ−３２９（新コスモス電機株式会社製）の数値を平衡させ、初期値を２００に調整する。
４）容器に試験用処理シート５１を入れて、人工尿としての生理用食塩水を３０ｃｃ満遍なく滴下したのち放置する。
５）測定時間の１分前にふたを閉じ、容器内の臭気を平衡させ、測定時間になったきにふたの孔に測定用ノズルを挿入して３０秒間臭気を測定する。
６）測定のピーク値を求め、そのピーク値から初期値の２００を引いた値を香気発散強度とする。
【００２９】
試験用処理シート５１における高吸水性ポリマー粒子２２のボルテックス法による吸水速度の測定手順は、次のとおりである。
１）２００ｃｃビーカに生理食塩水を３０ｃｃ入れる。
２）マグネットスタラーで直径８ｍｍ、長さ３０ｍｍのテフロン（登録商標）製撹拌子を６００ｒｐｍで回転させて生理食塩水を撹拌する。
３）所定量の高吸水性ポリマー粒子をビーカに投入して時間の計測を開始する。
４）撹拌を続け、生理食塩水に渦の発生がなくなるまでの時間を測定し、その時間を吸水時間（吸水速度）とする。
【図面の簡単な説明】
【００３０】
【図１】処理シートの部分破断平面図。
【図２】図１のＩＩ−ＩＩ線断面図であって、構成部材を上下に離間させて示す図。
【図３】図１の部分ＩＩＩの拡大図。
【図４】図３のＩＶ−ＩＶ線断面図。
【図５】試験用処理シートの断面図。
【符号の説明】
【００３１】
１    処理シート
２    透液性シート（表面シート）
３ａ    直上の透液性シート（ティシューペーパ）
６    圧搾溝
６ａ    底部
７    不透液性シート（裏面シート）
１２    粉砕パルプ（吸水性繊維）
１３    高吸水性ポリマー粒子（第１高吸水性ポリマー粒子）
１６    芯材
１６ａ    上面
１６ｂ    下面
２１    包接化合物（粒子）
２２    高吸水性ポリマー粒子（第２高吸水性ポリマー粒子）
２５    吸液域
Ａ    縦方向
Ｂ    横方向
Ｃ    厚さ方向
【図１】
2010051261.tif 000004
【図２】
2010051261.tif 000005
【図３】
2010051261.tif 000006
【図４】
2010051261.tif 000007
【図５】
2010051261.tif 000008